(57)【要約】【課題】装着の作業性を向上させることができる発光パネルを提供する。【解決手段】発光パネル１Ａは、照明器具１０Ａの筐体２の凹部２１内に挿入されて装着され、表面１ａから光を放射するものである。この発光パネル１Ａの表面１ａには、摘み可能な凸部１８が設けられている。すなわち、発光パネル１Ａを筐体２の凹部２１内に挿入して装着する際には、この凸部１８を摘んで作業することができるため、装着の作業性を向上させることができる。なお、凸部１８は、透明材料で構成されていることが好ましい。【選択図】図１
2007220596.tif 000002
【特許請求の範囲】
【請求項１】
照明器具の筐体の凹部内に挿入されて装着され、表面から光を放射する発光パネルであって、
発光パネルの表面に、摘み可能な凸部が設けられていることを特徴とする発光パネル。
【請求項２】
前記凸部は、透明材料で構成されていることを特徴とする請求項１に記載の発光パネル。
【請求項３】
前記発光パネルの表面は、光を放射する方向と反対方向に窪む凹状をなしていることを特徴とする請求項１または２に記載の発光パネル。
【請求項４】
請求項１〜３のいずれか１項に記載の発光パネルと、この発光パネルが挿入されて装着される凹部を有する筐体とを備えることを特徴とする照明器具。
【発明の詳細な説明】
【技術分野】
【０００１】
本発明は、発光パネルおよび照明器具に関するものである。
【背景技術】
【０００２】
従来、照明器具の光源としては、蛍光ランプや白熱電球等が知られているが、近年では、有機ＥＬ（Electro Luminescence）や無機ＥＬを利用した電球型ＥＬランプが提案されている（例えば特許文献１参照）。
【０００３】
この電球型ＥＬランプは、球状のガラスバルブの内面に、透明の第１電極層、発光層、金属製の第２電極層が順次積層されて構成されたものである。そして、第１電極層と第２電極層の間に電圧が印加されると、発光層が発光し、その光が第１電極層を透過してガラスバルブの表面から放射される。
【特許文献１】特開２００４−２０７０８１号公報
【発明の開示】
【発明が解決しようとする課題】
【０００４】
このような電球型ＥＬランプでは、球状のガラスバルブの内面に各種の層を積層するのに手間がかかるため、コストが高くなる。そこで、基材としてガラス基板等を用い、その上に第１電極層、発光層、第２電極層等を積層した板状の発光パネルを光源とすることが考えられる。
【０００５】
しかしながら、このような発光パネルを、例えばダウンライト等壁面埋込式の照明器具の光源として採用した場合には、発光パネルの厚みが数ミリ程度と薄いことから、天井等に取り付けられる筐体の凹部内に発光パネルを挿入して装着する際の作業性がよいとはいえない。
【０００６】
本発明は、このような事情に鑑み、装着の作業性を向上させることができる発光パネルおよび照明器具を提供することを目的とする。
【課題を解決するための手段】
【０００７】
前記課題を解決するために、本発明の発光パネルは、照明器具の筐体の凹部内に挿入されて装着され、表面から光を放射する発光パネルであって、発光パネルの表面に、摘み可能な凸部が設けられていることを特徴とするものである。
【０００８】
光量を低下させることなく凸部を設けるために、前記凸部は、透明材料で構成されていることが好ましい。
【０００９】
十分な光量を得るために、前記発光パネルの表面は、光を放射する方向と反対方向に窪む凹状をなしていることが好ましい。
【００１０】
また、本発明の照明器具は、上記の発光パネルと、この発光パネルが挿入されて装着される凹部を有する筐体とを備えることを特徴とするものである。
【発明の効果】
【００１１】
本発明の発光パネルによれば、発光パネルの表面に摘み可能な凸部を設けたから、発光パネルを筐体の凹部内に挿入して装着する際には、この凸部を摘んで作業することができるため、装着の作業性を向上させることができる。
【００１２】
また、本発明の照明器具によれば、発光パネルを装着する際の作業性の良い照明器具を提供することができる。
【発明を実施するための最良の形態】
【００１３】
以下、本発明を実施するための最良の形態について、図面を参照しながら詳細に説明する。
【００１４】
図１に示すように、本発明の第１実施形態に係る照明器具１０Ａは、天井３に埋め込まれてダウンライトとして使用されるものであり、天井３に取り付けられる筐体２と、この筐体２に収容され、表面１ａから下方に光を放射する板状の発光パネル１Ａとを備えている。なお、本発明の照明器具は、ダウンライトとして使用されるものに限らず、例えば足元灯等に使用されるものであってもよい。
【００１５】
筐体２は、発光パネル１Ａが挿入されて装着される下方に開口する凹部２１と、この凹部２１の下端部から外側に広がる鍔部２２とを有している。
【００１６】
凹部２１は、図２に示すように、平面視で略正方形状の底壁２１ａと、この底壁２１ａの周縁部から鍔部２２に向かって拡開しながら延在する四角錐筒状の周壁２１ｂとで構成されている。また、凹部２１の底面、すなわち底壁２１ａの下面には、略中央位置にソケット２３が設けられている。
【００１７】
発光パネル１Ａは、有機ＥＬを利用したものであり、平面視で正方形状をなしている。具体的には、発光パネル１Ａは、図３に示すように、基板１１と、この基板１１の上面に積層された第１電極層１２、有機発光層１３および第２電極層１４からなる有機ＥＬ層と、第１封止部材１５および第２封止部材１６とを備えている。すなわち、基板１１の下面が発光パネル１Ａの表面１ａを構成し、第２封止部材１６の上面が発光パネル１Ａの裏面１ｂを構成している。
【００１８】
基板１１は、前記有機ＥＬ層を支持するための平板状の部材であり、有機発光層１３で発光する光の波長に対して透明な材料、例えばガラス等からなる。
【００１９】
第１電極層１２は、有機発光層１３で発光する光の波長に対して透明な材料からなる導電性の薄膜であり、陽極となる。第１電極層１２は、有機発光層１３が可視光を発光するので、例えばＩＴＯ（Indium Tin Oxide）等で形成される。第１電極層１２は、その一部が基板１１の一方端側に第１封止部材１５から露出するように引き出されて陽極端子部１２１を形成している。
【００２０】
有機発光層１３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層１２および第２電極層１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料からなる導電性の薄膜であり、陰極となる。第２電極層１４は、例えばアルミニウム（Ａｌ）、アルミリチウム（Ａｌ：Ｌｉ）およびマグネシウム銀（Ｍｇ：Ａｇ）等の金属や合金等で形成される。第２電極層１４は、その一部が基板１１の一方端側に対向する他方端側に第１封止部材１５から露出するように引き出されて陰極端子部１４１を形成している。
【００２１】
第１封止部材１５および第２封止部材１６は、基板１１と協同して有機発光層１３を気密に封止するための絶縁性の部材である。例えば接着性を有する樹脂製の第１封止部材１５が、陽極端子部１２１を除く第１電極層１２、有機発光層１３および陰極端子部１４１を除く第２電極層１４を覆うように塗布され、例えばガラス製の板状部材からなる第２封止部材１６が、第１封止部材１５を介して第２電極層１４上に載せられて圧力が加えられることによって、第２封止部材１６が第１封止部材１５によって第２電極層１４に接着されると共に、第２封止部材１６の周縁部が第１封止部材１５によって基板１１に気密に接着して接合される。これによって第１封止部材１５および第２封止部材１６は、基板１１と協同して有機発光層１３を気密に封止する。
【００２２】
また、第２封止部材１６の上面、すなわち発光パネル１Ａの裏面１ｂには、筐体２のソケット２３に接続可能な口金１７が設けられている。この口金１７は、裏面１ｂに配索された導電線１７ａ，１７ｂによって陽極端子部１２１および陰極端子部１４１と電気的に接続されている。これらの口金１７およびソケット２３は、差込固定式のものであり、発光パネル１Ａを凹部２１に挿入する際に、口金１７をソケット２３に下方から押し込むことにより、口金１７とソケット２３とが接続されて、発光パネル１Ａがその位置で保持されるようになる。
【００２３】
さらに、発光パネル１Ａの表面１ａには、ユーザーが摘み可能な凸部１８が設けられている。この凸部１８は、下向きに先細りとなるとともに先端が平坦な円錐台形状をなしている。凸部１８の具体的な大きさとしては、例えば底面の直径が２ｃｍ程度、高さが２ｃｍ程度である。
【００２４】
具体的には、凸部１８は、透明材料である例えばポリメタクリル酸メチル（ＰＭＭＡ）樹脂等で構成されており、口金１７の真裏に位置するように、表面１ａの略中央位置にシアノアクリレート樹脂を接着剤として接着されている。なお、凸部１８は、発光パネル１Ａの表面１ａを構成する基板１１を所定の形状に成形することにより、基板１１に一体に設けられていてもよい。
【００２５】
第１実施形態の照明器具１０Ａでは、発光パネル１Ａの表面１ａに摘み可能な凸部１８を設けたから、発光パネル１Ａを筐体２の凹部２１内に挿入して装着する際には、この凸部１８を摘んで作業することができるため、装着の作業性を向上させることができる。すなわち、発光パネル１Ａを装着する際の作業性の良い照明器具を提供することができる。
【００２６】
また、凸部１８を透明材料で構成したから、発光パネル１Ａの表面１ａから放射される光が遮られることがないので、光量を低下させることなく凸部１８を設けることができる。
【００２７】
なお、凸部１８は、摘み可能な形状となっていればよく、例えば円柱状または角柱状等となっていてもよい。あるいは、図４に示すように、表面１ａの中央位置を挟んで離間する位置に一対の板状の突出片１８ａ，１８ｂを設け、これらの突出片１８ａ，１８ｂで凸部１８を構成することも可能である。ただし、図１に示すように、口金１７の真裏となる位置に凸部１８を設ければ、口金１７をソケット２３に押し込んで接続する際の発光パネル１Ａの撓みを防ぐことができる。
【００２８】
また、発光パネル１Ａの形状は、平面視で円形状または多角形状等であってもよいし、凹部２１の形状も、発光パネル１Ａの形状に合わせて適宜変更可能である。
【００２９】
次に、図５を参照して、本発明の第２実施形態に係る照明器具１０Ｂを説明する。第２実施形態の照明器具１０Ｂは、第１実施形態の照明器具１０Ａに比べ、発光パネル１Ｂの形状が異なるだけであるため、同一構成部分には同一符号を付して、その説明を省略する。
【００３０】
発光パネル１Ｂは、図６（ａ）に示すように、図略の陽極端子部１２１および陰極端子部１４１が形成されていない方の両端部（図３（ａ）では上下方向の両端部）が筐体２の凹部２１の周壁２１ｂに沿って斜め下方に折り返された形状となっており、一対の折り返し部１９が形成されている。このため、発光パネル１Ｂの表面１ａは、光を放射する方向と反対方向、すなわち上方に窪む凹状をなしている。このような形状の発光パネル１Ｂは、まず基板１１を所定の形状に成形した後に、その上に各層１２〜１６を積層することで簡単に製造することができる。
【００３１】
このように、発光パネル１Ｂの表面１ａが光を放射する方向と反対方向に窪む凹状をなしていれば、表面１ａの面積を大きく確保でき、十分な光量を得ることができる。
【００３２】
なお、折り返し部１９は、図６（ｂ）に示す変形例の発光パネル１Ｃのように、発光パネル１Ｃの全周に亘って形成されていてもよい。
【００３３】
また、図７（ａ）に示す変形例の発光パネル１Ｄのように、発光パネル１Ｄが円弧状をなすことにより、表面１ａが凹状をなしていてもよいし、あるいは、図７（ｂ）に示す変形例の発光パネル１Ｅのように、発光パネル１Ｅが半球状をなすことにより、表面１ａが凹状をなしていてもよい。
【００３４】
なお、発光パネル１Ａ〜１Ｅは、有機ＥＬを利用したものに限らず、無機ＥＬを利用したものであってもよい。
【図面の簡単な説明】
【００３５】
【図１】本発明の第１実施形態に係る照明器具の側面断面図である。
【図２】筐体の斜視図である。
【図３】（ａ）は発光パネルの平面図、（ｂ）は（ａ）のＡ−Ａ線断面図である。
【図４】変形例の発光パネルを示す図であり、（ａ）は側面図、（ｂ）は下面図である。
【図５】本発明の第２実施形態に係る照明器具の側面断面図である。
【図６】（ａ）は第２実施形態の発光パネルの斜視図、（ｂ）は変形例の発光パネルの斜視図である。
【図７】（ａ）は変形例の発光パネルの側面図、（ｂ）は変形例の発光パネルの側面断面図である。
【符号の説明】
【００３６】
１Ａ〜１Ｅ  発光パネル
１ａ  表面
１７  口金
１８  凸部
２    筐体
２１  凹部
２３  ソケット
１０Ａ，１０Ｂ  照明器具
【図１】
2007220596.tif 000003
【図２】
2007220596.tif 000004
【図３】
2007220596.tif 000005
【図４】
2007220596.tif 000006
【図５】
2007220596.tif 000007
【図６】
2007220596.tif 000008
【図７】
2007220596.tif 000009